(57)【要約】【課題】カートリッジ交換の操作性が向上した塗膜転写具を提供することを目的とする。【解決手段】塗膜転写具１は、ケース１００と、前記ケース１００に対して着脱可能なカートリッジ２００とを備える塗膜転写具１であって、前記カートリッジ２００は、塗膜が塗布された転写テープ４Ｔを供給する供給リール４、及び、前記塗膜を転写後の転写テープ４Ｔを巻き取る巻取リール６を有し、前記ケース１００は、一面が開口した有底箱型の第１ケース部２Ｒ、及び、前記第１ケース部２Ｒの前記一面を覆う閉状態から、前記塗膜転写具１の軸線Ｌ１、Ｍ１を中心として回転することにより、前記第１ケース部２Ｒの前記一面を開放する開状態となることが可能な第２ケース部２Ｌとを有し、前記第２ケース部２Ｌの少なくとも一部は、前記開状態において、前記第１ケース部２Ｒの底面よりも、前記一面から離れた側に位置可能である。【選択図】図１３
2020104376.tif 000002
【特許請求の範囲】
【請求項１】
ケースと、前記ケースに対して着脱可能なカートリッジとを備える塗膜転写具であって、
前記カートリッジは、塗膜が塗布された転写テープを供給する供給リール、及び、前記塗膜を転写後の転写テープを巻き取る巻取リールを有し、
前記ケースは、一面が開口した有底箱型の第１ケース部、及び、軸線を中心として回転することにより、前記第１ケース部の前記一面を覆う閉状態から、前記第１ケース部の前記一面を開放する開状態となることが可能な第２ケース部とを有し、
前記第２ケース部の少なくとも一部は、前記開状態において、前記第１ケース部の底面よりも、前記一面から離れた側に位置可能な、塗膜転写具。
【請求項２】
前記軸線と、前記塗膜転写具の長手方向に延びる直線との間の角度は、２０度から５０度である、
請求項１に記載の塗膜転写具。
【請求項３】
前記長手方向は、前記ケースの、前記塗膜転写具の巻取リール用支軸と、供給リール用支軸とを結ぶ直線である、
請求項２に記載の塗膜転写具。
【請求項４】
前記第１ケース部は、前記軸線上に係合部を有し、
前記第２ケース部は、前記軸線上に前記係合部と係合する被係合部を有し、
前記係合部の、前記第１ケース部の外面からの距離をｘ、前記閉状態における前記第１ケース部と前記第２ケース部との境界線からの距離をｙとしたときに、
ｙ＞ｘである、
請求項１から３のいずれか１項に記載の塗膜転写具。
【請求項５】
前記開状態で前記塗膜転写具を平坦面に配置すると、前記第２ケース部は、前記平坦面上に前記平坦面と平行に配置され、前記第１ケース部は、前記係合部が設けられている部分が、前記平坦面から浮いて前記平坦面に対して傾いた状態となる、
請求項４に記載の塗膜転写具。
【発明の詳細な説明】
【技術分野】
【０００１】
本発明は、塗膜転写具に関する。
【背景技術】
【０００２】
塗膜が塗布された転写テープを供給する供給リールと、塗膜転写後の転写テープを巻き取る巻取リールとを有するカートリッジを備え、そのカートリッジがケースに対して着脱可能な塗膜転写具が存在する。
ケースは、長手方向の後端に、長手方向に対して直交する方向に延びる軸線を中心として連結された第１ケース部と第２ケース部とを備える。そして、その軸線を中心として、第２ケース部の前端を、後方に回転させることにより、第１ケース部の上面が開放され、カートリッジの交換が可能となる（特許文献１参照）。
【先行技術文献】
【特許文献】
【０００３】
【特許文献１】特開２００９−２９０５１号公報
【発明の概要】
【発明が解決しようとする課題】
【０００４】
しかし、塗膜転写具において、ケースの長手方向に延びる軸線を中心に、第２ケース部を回転させるようとする使用者も多い。その場合、使用者は、第２ケース部を開くことができず、操作性が悪いと感じる。
【０００５】
本発明は、カートリッジ交換の操作性が向上した塗膜転写具を提供することを目的とする。
【課題を解決するための手段】
【０００６】
上記課題を解決するために、本発明は以下のものを提供する。
ケースと、前記ケースに対して着脱可能なカートリッジとを備える塗膜転写具であって、前記カートリッジは、塗膜が塗布された転写テープを供給する供給リール、及び、前記塗膜を転写後の転写テープを巻き取る巻取リールを有し、前記ケースは、一面が開口した有底箱型の第１ケース部、及び、軸線を中心として回転することにより、前記第１ケース部の前記一面を覆う閉状態から、前記第１ケース部の前記一面を開放する開状態となることが可能な第２ケース部とを有し、前記第２ケース部の少なくとも一部は、前記開状態において、前記第１ケース部の底面よりも、前記一面から離れた側に位置可能な、塗膜転写具。
【０００７】
前記軸線と、前記塗膜転写具の長手方向に延びる直線との間の角度は、２０度から５０度が好ましい。
【０００８】
前記長手方向は、前記ケースの、巻取リール用支軸と、供給リール用支軸とを結ぶ直線との間の角度であってもよい。
【０００９】
前記第１ケース部は、前記軸線上に係合部を有し、前記第２ケース部は、前記軸線上に前記係合部と係合する被係合部を有し、前記係合部の、前記第１ケース部の外面からの距離をｘ、前記閉状態における前記第１ケース部と前記第２ケース部との境界線からの距離をｙとしたときに、ｙ＞ｘである。
【００１０】
前記開状態で前記塗膜転写具を平坦面に配置すると、前記第２ケース部は、前記平坦面上に前記平坦面と平行に配置され、前記第１ケース部は、前記係合部が設けられている部分が、前記平坦面から浮いて前記平坦面に対して傾いた状態となることが好ましい。
【発明の効果】
【００１１】
本発明によれば、カートリッジ交換の操作性が向上した塗膜転写具を提供することができる。
【図面の簡単な説明】
【００１２】
【図１】塗膜転写具１の斜視図である。
【図２】カートリッジ２００の斜視図である。
【図３】塗膜転写具１の分解斜視図である。
【図４】塗膜転写具１を図３と逆方向から見た分解斜視図である。
【図５】第１ケース部２Ｒを左側から見た図である。
【図６】第１ケース部２Ｒを上側から見た図である。
【図７】第２ケース部２Ｌを右側から見た図である。
【図８】第２ケース部２Ｌを下側から見た図である。
【図９】回転制御板４０を右側から見た図であり、回転力伝達機構５０も示す。
【図１０】塗膜転写具１の使用時の状態を説明する図である。
【図１１】第１ケース部２Ｒの上面を開く動作を説明する図である。
【図１２】第１ケース部２Ｒの上面を開いて第２ケース部２Ｌを回転したときの塗膜転写具１を斜め後方から見た図である。
【図１３】図１２の状態よりもさらに第２ケース部２Ｌと第１ケース部２Ｒとを相対回転させた状態を、図１１と同様の角度から見た図である。
【図１４】図１２の状態よりもさらに第２ケース部２Ｌと第１ケース部２Ｒとを相対回転させた状態を、図１２と同様の角度から見た図である。
【図１５】使用者が、カートリッジ２００を交換する状態を説明する図である。
【発明を実施するための形態】
【００１３】
以下、本発明の実施形態の塗膜転写具１を図面に基づいて説明する。以下、使用時に使用者が塗膜転写具１を手に持った時の左右、前後、上下を明細書中においても左右、前後、上下として説明する。
図１は実施形態の塗膜転写具１の斜視図である。塗膜転写具１は、ケース部２の前側に設けられた開口部２ａから突出した転写ヘッド５を下方の被転写面（図示せず）に押し付けて、後方に移動させることにより、塗膜を被転写面に転写するものである。
【００１４】
塗膜転写具１は、ケース１００と、ケース１００の内部に配置され、ケース１００に対して着脱可能なカートリッジ２００とを備える。図２はカートリッジ２００の斜視図である。塗膜転写具１は、使用済のカートリッジ２００を、新たなカートリッジ２００に交換して使用することが可能である。
図３は、塗膜転写具１の分解斜視図である。図４は、塗膜転写具１を図３と逆方向から見た分解斜視図である。
【００１５】
（ケース１００）
ケース１００は、それぞれが略楕円形の左右一対の第１ケース部２Ｒと第２ケース部２Ｌとを有するケース部２と、回転力伝達機構５０と、回転制御板４０とを備える。
【００１６】
（第１ケース部２Ｒ）
図５及び図６は第１ケース部２Ｒを示す図で、図５は第１ケース部２Ｒを図６に矢印で示す左側から見た図、図６は第１ケース部２Ｒを図５に矢印で示す上側から見た図である。
第１ケース部２Ｒの左面には、前側から順に、開閉蓋取付部２０、回転軸２１、バネかけ部２２、先端部に外径側に突出した係止部２３ａが設けられた巻取リール用支軸２３、先端部に外径側に突出した係止部２４ａが設けられた供給リール用支軸２４、揺動範囲制限軸２５が設けられている。
【００１７】
第１ケース部２Ｒの外周の開口部２ａ以外の部分は、位置によって高さの異なる壁部が設けられている。壁部は、下壁部２９ｂ、後壁部２９ａ及び上壁部２９ｃを備える。下壁部２９ｂは、直線部２９ｂａと、開閉爪２９ｂｂとを備える。
【００１８】
後壁部２９ａと上壁部２９ｃとの間の角部（第１ケース部２Ｒの壁部のうちの後上側部分）には、窪み２６と、後壁部２９ａと直線部２９ｂａとの間に窪み２７が設けられている。
２つの窪み２６、２７は、それぞれ互いに直交する２つの平面によって形成されている。窪み２６の平面２６ａと窪み２７の平面２７ａとは互いに平行である。窪み２６の平面２６ｂと、窪み２７の平面２７ｂとは互いに同一平面上にある。互いに平行な平面２６ａと平面２７ａとには、係合突起２６ｃ、２７ｃが設けられている。
【００１９】
図５に示すように上下前後方向の平面において、窪み２６の係合突起２６ｃと窪み２７の係合突起２７ｃとを結ぶ直線Ｌ１と、塗膜転写具１の長手方向に延びる巻取リール用支軸２３と供給リール用支軸２４とを結ぶ直線Ｌ２との間の角度θは、２０度から５０度であり、実施形態では２２．５度である。
なお、本明細書において長手方向とは、ケースの前後方向と上下方向のうち長い方であり、実施形態においては、図示するように巻取リール用支軸２３と供給リール用支軸２４とを結ぶ直線の方向である。ただし、これに限らず、例えば、下壁部２９ｂの直線部２９ｂａ（塗膜転写具１の使用時において下側となる側面）の延びる方向を長手方向としてもよい。
【００２０】
また、図６に示すように前後左右方向の平面において、窪み２６の係合突起２６ｃは、第１ケース部２Ｒの外面（右面）から左方向の距離をｘ、第１ケース部２Ｒと第２ケース部２Ｌとを組み合わせてケース部２としたときの第１ケース部２Ｒと第２ケース部２Ｌとの外面上での境界線Ｌ３からの右方向の距離をｙ、としたときに、ｙ＞ｘである。なお、図６には図示しないが、窪み２７の係合突起２７ｃも同様である。
【００２１】
開閉蓋取付部２０は、左右に延びる円柱状で、この開閉蓋取付部２０には、塗膜転写具１の転写ヘッド５の下面側を覆う開閉蓋８が取り付けられる。
【００２２】
（第２ケース部２Ｌ）
図７及び図８は第２ケース部２Ｌを示す図で、図７は第２ケース部２Ｌを図８に矢印で示す右側から見た図である。図８は第２ケース部２Ｌを図７に矢印で示す下側から見た図である。
第２ケース部２Ｌの右面には、前側から、回転軸受け部３１、巻取リール用保持部３３と、供給リール用保持部３４とが、それぞれ第１ケース部２Ｒの回転軸２１と、巻取リール用支軸２３と、供給リール用支軸２４とに対応する位置に設けられている。
【００２３】
第２ケース部２Ｌの内面における、第１ケース部２Ｒに設けられた２つの窪み２６、２７に対応する位置には、右方向に延びるアーム部３６、３７が設けられている。アーム部３６、３７には、それぞれ長さ方向と直交する方向に貫通し、係合突起２６ｃ、２７ｃが挿入される被係合穴３６ｃ、３７ｃが設けられている。
【００２４】
図７に示すように上下前後方向の平面において、アーム部３６とアーム部３７を結ぶ直線Ｍ１と、第２ケース部２Ｌの巻取リール用保持部３３と供給リール用保持部３４とを結ぶ直線Ｍ２との間の角度は、上述した、窪み２６の係合突起２６ｃと窪み２７の係合突起２７ｃとを結ぶ直線Ｌ１と、下壁部２９ｂの直線部２９ｂａが沿う直線Ｌ２との間の角度θと等しく、２０度から５０度であり、実施形態では２２．５度である。
【００２５】
図８に示すように前後左右方向の平面において、アーム部３６に設けられた被係合穴３６ｃとアーム部３７に設けられた被係合穴３７ｃとは、第１ケース部２Ｒと第２ケース部２Ｌとを組み合わせてケース部２としたときの第１ケース部２Ｒと第２ケース部２Ｌとの境界線Ｌ３からの右方向の距離ｙに設けられている。
なお、第１ケース部２Ｒと第２ケース部２Ｌとの境界線Ｌ３とは、本明細書において、第１ケース部２Ｒと第２ケース部２Ｌとを組み合わせたときの、外側から見たときの境界線Ｌ３をいう。
【００２６】
また、第１ケース部２Ｒの下壁部２９ｂの開閉爪２９ｂｂに対応する位置に、開閉爪２９ｂｂと係合する開閉爪係合部３９ｂｂが設けられている。
【００２７】
第１ケース部２Ｒと第２ケース部２Ｌとを組み立ててケース部２としたときに、窪み２６の係合突起２６ｃに、アーム部３６に設けられた被係合穴３６ｃが嵌り、窪み２７の係合突起２７ｃに、アーム部３７に設けられた被係合穴３７ｃが嵌った状態で、開閉爪２９ｂｂと開閉爪係合部３９ｂｂが嵌り、第１ケース部２Ｒと第２ケース部２Ｌとが組み合わされる。
【００２８】
（回転制御板４０）
図９は回転制御板４０を右側から見た図であり、回転力伝達機構５０も示す。回転制御板４０は、図３、４に示すように第１ケース部２Ｒの左側に配置され、回転力伝達機構５０に対する回転力の伝達を制御する板部材である。回転制御板４０には、前側から、軸穴４１、バネかけ部４６、巻取リール用開口部４２、供給リール用開口部４３、回転範囲制限穴４４が設けられている。
【００２９】
図４に示すように、軸穴４１が設けられている部分の左面には、左側に延びる筒部４５が延びている。筒部４５の外周には、筒部４５の長さ方向の全体にわたって径方向外側且つ後方に延びる突部４５ａが設けられている。
【００３０】
バネかけ部４６には、つる巻バネ７の一端が取り付けられている。つる巻バネ７の他端は、第１ケース部２Ｒのバネかけ部２２に取り付けられている。つる巻きバネ７は、回転制御板４０を軸穴４１を中心として上側に回転する方向に付勢している。
【００３１】
巻取リール用開口部４２の内周における、後下側の縁部から前側に弾性変形可能なアーム４２ａが延びている。アーム４２ａの先端には、上側にわずかに突出するとともに、先端が尖った巻取リール逆回転防止爪４２ｂが設けられている。巻取リール逆回転防止爪４２ｂは、塗膜転写具１の不使用時には、つる巻バネ７が回転制御板４０を上側に付勢することによって、後述の巻取リール側回転部５７のラチェット状の歯が設けられた第１ギア５７ａに係合している。
【００３２】
供給リール用開口部４３の内周における、下側の縁部には、内側に突出する供給リール回転防止爪４３ａが、内方に向って設けられている。供給リール回転防止爪４３ａは、供給リール４の回転を制止するための回転制止部であり、塗膜転写具１の不使用時には、つる巻きバネ７が回転制御板４０を上側に付勢することによって、後述の回転制御ギア５１のギア歯に係合している。
【００３３】
回転範囲制限穴４４は、軸穴４１を中心とした周方向に延びる長穴で、この回転範囲制限穴４４には、第１ケース部２Ｒに設けられた揺動範囲制限軸２５が挿通されている。塗膜転写具１の不使用時には、つる巻きバネ７が回転制御板４０を上側に付勢することによって、揺動範囲制限軸２５は回転範囲制限穴４４の内周の下側と当接している。
【００３４】
（回転力伝達機構５０）
回転力伝達機構５０は、供給リール係合ギア５５、圧縮スプリング５４、環状のスペーサ５３、供給リール用ギア５２、及び回転制御ギア５１を有する供給リール側回転部５０Ａと、回転力伝達ギア５６と、巻取リール側回転部５７とを備える。
【００３５】
供給リール係合ギア５５は、一端（右側）に、外径側に突出した係止部５５ａ、他端（左側）にギア部５５ｃが設けられた筒状の回転軸５５ｂを備える環状部材で、供給リール用支軸２４に外嵌され、供給リール用支軸２４の係止部２４ａによって抜け止めされている。
回転軸５５ｂには、右側から回転制御ギア５１、供給リール用ギア５２、環状のスペーサ５３、圧縮スプリング５４が順次外嵌され、右端である回転制御ギア５１が係止部５５ａにより抜け止めされている。
【００３６】
ギア部５５ｃには、供給リール４（後述のリブ状係止部４ａ）が係合され、これにより、供給リール４と供給リール係合ギア５５ｃとは一体的に回転する。
スペーサ５３及び回転制御ギア５１の内周には、平面が設けられており、供給リール係合ギア５５の回転軸５５ｂの外周に設けられた平面と係合することで、供給リール係合ギア５５とスペーサ５３と回転制御ギア５１とは相対回転せず、一体となって回転する。
【００３７】
さらに、供給リール係合ギア５５のギア部５５ｃとスペーサ５３ｃとの間に挟まれた圧縮スプリング５４も一体となって回転する。供給リール係合ギア５５は、供給リール用支軸２４に対して回転可能に保持されている。一方、スペーサ５３と回転制御ギア５１との間に配置された供給リール用ギア５２は、圧縮スプリング５４の押圧力によって、スペーサ５３と回転制御ギア５１とに対して摩擦力で挟持されている。
【００３８】
これにより、塗膜の転写作業により、後述する供給リール４に巻かれた転写テープ４Ｔが繰出されると、供給リール４の回転力は、供給リール係合ギア５５を通じてスペーサ５３及び回転制御ギア５１に伝達され、スペーサ５３の側面と供給リール用ギア５２の側面との間、回転制御ギア５１の側面と供給リール用ギア５２の側面との間に生ずる摩擦力によって、供給リール用ギア５２に伝達される。
【００３９】
巻取リール側回転部５７は、第１ケース部２Ｒに立設された巻取リール用支軸２３に外嵌され、巻取リール用支軸２３の係止部２３ａによって抜け止めされている。
巻取リール側回転部５７は、右側の端部から、第１ギア５７ａ、第１ギアより大径の第２ギア５７ｂ及び第２ギア５７ｂから左側に延びる円筒部５７ｃを備える。
円筒部５７ｃの外周には、長さ方向に延びる複数の係合突部５７ｄが周方向に均等な間隔で設けられている。
【００４０】
第２ギア５７ｂと供給リール用ギア５２との間には回転力伝達ギア５６が配置され、供給リール用ギア５２の回転が、回転力伝達ギア５６を介して第２ギア５７ｂが設けられた巻取リール側回転部５７に伝達される。
【００４１】
（カートリッジ２００）
カートリッジ２００は、図３及び図４に示すように、左右一対の第１カートリッジ筐体３Ｒと第２カートリッジ筐体３Ｌとからなるカートリッジ筐体３と、第１カートリッジ筐体３Ｒと第２カートリッジ筐体３Ｌとの間に配置された、供給リール４と、転写ヘッド５と、巻取リール６とを備える。
【００４２】
（供給リール４）
供給リール４は、外周に転写テープ４Ｔが巻かれているリールで、供給リール用支軸２４に供給リール係合ギア５５を介して枢支されている。
供給リール４の内周面には、内周方向に突出したリブ状係止部４ａが等間隔で複数設けられている。リブ状係止部４ａは、上述の供給リール係合ギア５５のギア部５５ｃと係合している。
【００４３】
（巻取リール６）
巻取リール６は、転写済みの転写テープ４Ｔを巻き取るリールで、第１ケース部２Ｒに立設された巻取リール用支軸２３に巻取リール側回転部５７を介して枢支されている。
巻取リール６の内周面には、内周方向に突出したリブ状係止部６ａが互いに等間隔で複数設けられている。リブ状係止部６ａは、上述の巻取リール側回転部５７の係合突部５７ｄと係合し、巻取リール６は巻取リール側回転部５７とともに回転する。
【００４４】
（転写ヘッド５）
転写ヘッド５は、供給リール４から引出される転写テープ４Ｔを被転写面に転写する部分で、後部に、後述する第２カートリッジ筐体３Ｌに設けられた転写ヘッド保持軸６１が挿入される穴部５ａが設けられている。穴部５ａに転写ヘッド保持軸６１を挿入することで、転写ヘッド５は転写ヘッド保持軸６１を中心として揺動可能に保持される。
【００４５】
（第２カートリッジ筐体３Ｌ）
第２カートリッジ筐体３Ｌは、ベース部６０Ｂと、ベース部６０Ｂよりも前側に延びる可撓性延在部６０Ａとを備える。可撓性延在部６０Ａは、転写ヘッド保持軸６１及び軸穴６２を備える。
軸穴６２には回転制御板４０の筒部４５が挿入される。筒部４５には上述のように外周に突部４５ａが設けられているため、軸穴６２の断面にも、円形穴の一部が径方向外側に広がった突部係合孔６２ａが設けられている。
この突部係合孔６２ａに突部４５ａがはめ込まれることにより回転制御板４０と可撓性延在部６０Ａが設けられた第２カートリッジ筐体３Ｌとの相対回転が防止される。
【００４６】
転写ヘッド保持軸６１は、上述のように転写ヘッド５の穴部５ａに挿し込まれることにより、転写ヘッド５が転写ヘッド保持軸６１を中心として揺動可能に保持される。
第２カートリッジ筐体３Ｌの可撓性延在部６０Ａより後ろ側の右面には円筒部６３ａ、６３ｂ、６３ｃ、６３ｄ、６３ｅが右側に向って立設されている。
また、第２カートリッジ筐体３Ｌの可撓性延在部６０Ａより後ろ側には、第２巻取側開口６４、第２供給側開口６５が設けられている。巻取リール６は、第２巻取側開口６４と同軸に保持され、供給リール４は第２供給側開口６５と同軸に保持される。
【００４７】
（第１カートリッジ筐体３Ｒ）
第１カートリッジ筐体３Ｒには、円筒部６３ａ、６３ｂ、６３ｃ、６３ｄ、６３ｅがそれぞれ係合する支柱７１ａ、７１ｂ、７１ｃ、７１ｄ、７１ｅが立設されている。
第１カートリッジ筐体３Ｒと、第２カートリッジ筐体３Ｌとを対向させて、互いに近接する方向に押圧すると、円筒部６３ａ、６３ｂ、６３ｃがそれぞれ支柱７１ａ、７１ｂ、７１ｃ、７１ｄ、７１ｅと係合して、第１カートリッジ筐体３Ｒ、第２カートリッジ筐体３Ｌが連結されてカートリッジ筐体３が形成される。
第１カートリッジ筐体３Ｒには、第１巻取側開口７４、第１供給側開口７５が設けられている。第１カートリッジ筐体３Ｒ、第２カートリッジ筐体３Ｌが連結されると、第１巻取側開口７４は、第２巻取側開口６４と同位置に設けられ、第１供給側開口７５は、第２供給側開口６５と同位置となる。
【００４８】
塗膜転写具１は、ケース１００にカートリッジ２００が挿入された状態で、回転力伝達機構５０の圧縮スプリング５４、スペーサ５３が外装された、供給リール係合ギア５５が、第１供給側開口７５より供給リール４内に挿入される。そうすると、供給リール４のリブ状係止部４ａと供給リール係合ギア５５のギア部５５ｃとが係合し、一体的に回転可能となる。
また、巻取リール側回転部５７が第１巻取側開口７４より巻取リール６内に挿入される。そうすると、巻取リール６のリブ状係止部６ａと巻取リール側回転部５７の係合突部５７ｄとが係合し、一体的に回転可能となる。
【００４９】
（不使用時）
塗膜転写具１の不使用時においては、図９に示すように、つる巻バネ７が回転制御板４０を上側に付勢している。したがって、巻取リール逆回転防止爪４２ｂは巻取リール側回転部５７の第１ギア５７ａと噛み合っている。このため、巻取リール側回転部５７は逆回転できず、巻取リール６は逆回転することができない。なお、正回転は可能であるが多少の抵抗がある。
また、供給リール回転防止爪４３ａが回転制御ギア５１と係合している。したがって、スペーサ５３、圧縮スプリング５４、供給リール係合ギア５５及び供給リール４は回転することができない。巻取りリール６の逆回転および供給リール４の回転を防止していることで、輸送時等に転写テープ４Ｔがたるむことを防止できる。
【００５０】
転写テープ４Ｔにたるみが生じた場合、筆記具のペン先等の細い棒状なものを使用して、第１ケース部２Ｒに開けられた円弧状の貫通穴および供給リール用開口部４３を通して、供給リール用ギア５２に円周状に設けられた複数の円形状の凹みに係合させて第１ケース部２Ｒに記された矢印の方向に供給リール用ギア５２を回転させることにより、回転力伝達ギア５６を介して巻取リール側回転部５７に回転力が伝わる。巻取リール側回転部５７は、ラチェット状の歯とアーム４２ａとの係合により、アーム４２ａが弾性変形して回転し、巻取リール側回転部５７と係合する巻取りリール６が回転する。一方、回転制御ギア５１と供給リール回転防止爪４３ａが係合した状態であるため供給リール係合ギア５５および供給リール４は回転しない。これにより、転写テープ４Ｔのたるみを取ることが出来る。
【００５１】
回転制御ギア５１は、外周に歯を設けた形状とすることで、その歯と係合する供給リール回転防止爪４３ａを回転制御板４０の板厚のまま係合可能な構造とすることができるので、左右方向の厚みを抑えることが可能となる。このような構造とすることは、カートリッジ構造に限定されるわけではなく、使い切りタイプの塗膜転写具にも適用できることである。
なお、本実施形態と異なり、内周に歯を設けた回転制御ギアの場合には、回転制御板に突起を設けた係止爪とする必要があるため、左右方向の厚みが出てしまう。
【００５２】
（塗膜転写時）
図１０は、塗膜転写具１の使用時の状態を説明する図である。使用時においては、転写ヘッド５が被転写面Ｓに押圧されると、可撓性延在部６０Ａは、ベース部６０Ｂに対して、図１０に示すように上側に弾性的に撓む。そうすると、突部係合孔６２ａと突部４５ａとの係合により、可撓性延在部６０Ａとともに、回転制御板４０は筒部４５を中心として、筒部４５より後部が下側にわずかに下側に回転する。
図１０の点線は、回転後の回転制御板４０を示す。回転制御板４０の回転角度は、揺動範囲制限軸２５が挿入された長穴である回転範囲制限穴４４の長さによって定まる。
回転制御板４０が回転して図１０に示す矢印の方向に移動すると、巻取リール逆回転防止爪４２ｂと巻取リール側回転部５７の第１ギア５７ａとの噛合が解除されるとともに、供給リール回転防止爪４３ａと回転制御ギア５１との係合も解除され、供給リール用ギア５２、スペーサ５３、圧縮スプリング５４、供給リール係合ギア５５及び供給リール４は回転可能となる。
このとき、巻取リール側回転部５７は、巻取リール逆回転防止爪４２ｂと巻取リール側回転部５７の第１ギア５７ａとの噛合が解除されることにより、回転抵抗のない状態で回転可能となるため、軽い力で転写可能になるとともに、ラチェット音も発生しない。
【００５３】
転写作業により、転写テープ４Ｔが繰出されると、供給リール４が回転する。供給リール４が回転すると、供給リール係合ギア５５が回転する。供給リール係合ギア５５が回転すると、圧縮スプリング５４、スペーサ５３、供給リール用ギア５２が回転する。
供給リール用ギア５２が回転すると、その回転力は、回転力伝達ギア５６を介して、巻取リール側回転部５７へと伝達され、係合突部５７ｄとリブ状係止部６ａとの係合により、巻取リール６が回転する。
これによって、供給リール４からの転写テープ４Ｔの繰り出しと同期して、巻取リール６による使用済みの転写テープ４Ｔの巻き取りが行われる。
転写ヘッド５を被転写面Ｓから引き上げると同時に、つる巻バネ７が回転制御板４０を上側に付勢することにより、供給リール回転防止爪４３ａと回転制御ギア５１とが係合し、供給リール４の回転が停止される。これにより、転写テープ４Ｔの切断を良好にし、塗膜の糸引きが防止される。塗膜を切断するために摩擦力を必要としないため摩擦力を低く設定することで、軽い力での転写が可能となる。
【００５４】
（交換動作時）
図１１は、第１ケース部２Ｒの上面を開く動作を説明する図である。図１１（ａ）の状態で、第１ケース部２Ｒの側面に設けられた開閉爪２９ｂｂを押圧すると、開閉爪２９ｂｂと第２ケース部２Ｌの開閉爪係合部３９ｂｂとの係合が解除される。
この状態で、図１１（ｂ）に示すように第２ケース部２Ｌの前側を持ち上げると、軸線（直線）Ｌ１、Ｍ１を中心として、第２ケース部２Ｌが第１ケース部２Ｒに対して矢印方向に回転する。
【００５５】
図１２は第１ケース部２Ｒの上面を開いて、図１１（ｂ）の状態からさらに第２ケース部２Ｌを回転したときの塗膜転写具１を斜め後方から見た図であり、第１ケース部２Ｒと第２ケース部２Ｌとの位置関係を示した図である。
図示するように、実施形態において、アーム部３７の、閉じた状態での第１ケース部２Ｒにおける第２ケース部２Ｌとの境界となる直線Ｌ３からの長さｙは、窪み２７の係合突起２７ｃの、第１ケース部２Ｒの外面（右面）から左方向の距離ｘより大きい（アーム部３６と窪み２６の係合突起２６ｃとの関係も同様）。
すなわち、アーム部３７が十分長いので、第２ケース部２Ｌを回転したときに、第２ケース部２Ｌの側面が第１ケース部２Ｒの側面とぶつからず、図１２に示すように、第２ケース部２Ｌは、第１ケース部２Ｒの底面（外面、右面）よりもさらに右側（図１２において下側）まで回転可能である。
ケース開閉において、第１ケース部２Ｒは、第２ケース部２Ｌのアーム部３６、３７に対応する窪み２６、２７を設けるだけでよく、ケースを大きく開くことができるとともにケースの外観デザインのよい構造とすることができる。
【００５６】
図１２の状態で、第２ケース部２Ｌの上面を平坦面上に配置すると、第１ケース部２Ｒの上辺側の、係合突起２７ｃ（及び係合突起２６ｃ）の部分が、アーム部３７（アーム部３６）によって保持されるので、第１ケース部２Ｒの上辺側の浮き上がり、第１ケース部２Ｒの上辺側の前端部が平坦面に接した、一部浮き上がり状態となる。
図１３は、この一部浮き上がり状態を図１１と同様の角度から見た図である。図１４は、一部浮き上がり状態を、図１２と同様の角度から見た図である。
【００５７】
換言すると、本実施形態は、ケース１００と、ケース１００に対して着脱可能なカートリッジ２００とを備える塗膜転写具１であって、カートリッジ２００は、塗膜が塗布された転写テープ４Ｔを供給する供給リール４、及び、塗膜を転写後の転写テープ４Ｔを巻き取る巻取リール６を有し、ケース１００は、一面が開口した有底箱型の第１ケース部２Ｒ、及び、第１ケース部２Ｒの一面を覆う閉状態から、塗膜転写具１の軸線Ｌ１、Ｍ１を中心として回転することにより、第１ケース部２Ｒの一面を開放する開状態となることが可能な第２ケース部２Ｌとを有し、第２ケース部２Ｌの少なくとも一部は、開状態において、第１ケース部２Ｒの底面に対して、一面と逆側の、第１ケース部２Ｒの底面よりも低い位置に配置可能である。
したがって開状態で塗膜転写具１を平坦面に配置すると、第２ケース部２Ｌは、平坦面上に平坦面と平行に配置され、第１ケース部２Ｒは、係合部２６ｃ、２７ｃが設けられている部分が、平坦面から浮いて平坦面に対して傾いた一部浮き上がり状態となる。
【００５８】
この一部浮き上がり状態においてカートリッジ２００が内部に保持された第１ケース部２Ｒは、平坦面に対して斜めになる。すなわち、開閉爪２９ｂｂが設けられた側に使用者が存在するのが一般的であるので、第１ケース部２Ｒは、使用者側を向くように傾く。
ゆえに、図１５に示すように、使用者は、カートリッジ２００を交換する際に、カートリッジ２００を取り出しやすくなる。
【００５９】
また、使用者は、カートリッジ２００を交換する際に、まず、塗膜転写具１を、図１１（ａ）に示すように、右面を下にして机上に置く。
そして、使用者の手前側となる塗膜転写具１の下面の前側に設けられた開閉爪２９ｂｂを押圧して、第２ケース部２Ｌの前側を持って第１ケース部２Ｒに対して開こうとする。
【００６０】
ここで、比較例として、第２ケース部２Ｌが塗膜転写具１の後辺に沿って設けられた軸、すなわち、塗膜転写具の長手方向に対する角度θが略９０度である軸を中心として回転して開く場合、第２ケース部２Ｌの前端を持ち上げ、前端を後側に向けて開けるのが正しい開け方である。しかし、第２ケース部２Ｌの前端を持ち上げ、手前側の側辺を奥側に開くと考える使用者もいる。
また、別の比較例として、第２ケース部２Ｌが塗膜転写具１の側辺に沿って設けられた軸、すなわち、塗膜転写具の長手方向に対する角度θが略０度である軸を中心として回転して開く場合、第２ケース部２Ｌの前端を持ち上げ、手前側の側辺を奥側に開けるのが正しい開け方である。しかし、第２ケース部２Ｌの前端を持ち上げ、前端を後側に向けて開くと考える使用者もいる。
このような場合、いずれも第２ケース部２Ｌが思う方向に開かないので、塗膜転写具１を開く動作に手間取り、操作性が悪いと感じる。
【００６１】
しかし、実施形態の塗膜転写具１は、第２ケース部２Ｌを、第１ケース部２Ｒの後上部の角部における長手方向に対して斜めに設けられた軸線Ｌ１、Ｍ１を中心として回転させる。
【００６２】
すなわち、第２ケース部２Ｌの前端を持ち上げ、塗膜転写具１の後辺に沿った軸を中心として前端を後側に向けて開こうとした場合であっても、第２ケース部２Ｌの前端を持ち上げ、塗膜転写具１の側辺に沿って設けられた軸を中心として、手前側の側辺を奥側に開こうとした場合であっても、第２ケース部２Ｌを開くことができる。したがって、塗膜転写具１を開く動作に手間取ることがなく、操作性が向上する。
【００６３】
また、本実施形態の塗膜転写具１は、ケース１００に収納されたカートリッジ２００を交換可能である。
そして、カートリッジ２００は、塗膜が塗布された転写テープ４Ｔを供給する供給リール４と、塗膜転写後の転写テープ４Ｔを巻き取る巻取リール６と、を備える。
ケース１００は、カートリッジ２００が着脱可能なケース部２と、供給リール４と係合して供給リール４とともに回転する供給リール側回転部５０Ａと、巻取リール６と係合して巻取リール６とともに回転する巻取リール側回転部５７と、供給リール側回転部５０Ａと巻取リール側回転部５７との間に設けられた回転力伝達ギア（回転力伝達部）５６と、不使用時に、供給リール側回転部５０Ａと係合して供給リール側回転部５０Ａの回転を防止する供給リール回転防止爪（供給リール回転防止部）４３ａと、巻取リール側回転部５７と係合しての巻取リール側回転部５７の逆回転を防止する巻取リール逆回転防止爪（巻取リール逆回転防止部）４２ｂと、を備える。
【００６４】
すなわち、供給リール４や巻取リール６の回転防止機構がケース１００側に設けられている。したがって、カートリッジ２００にこれらの回転防止機構を設ける必要がないので、カートリッジ２００の構成部材が少ない。したがって、使い切り部分であるカートリッジ２００を安価に製造可能である。また、カートリッジ２００のサイズを小さくすることができる。
【００６５】
ケース部２の内面に供給リール用支軸２４、巻取リール用支軸２３が立設されている。また、ケース部２の内部に供給リール用支軸２４が貫通する供給リール用開口部４３と、巻取リール用支軸２３が貫通する巻取リール用開口部４２とが設けられた回転制御板４０が配置されている。
そして、回転制御板４０は、供給リール用開口部４３の外周から延びる供給リール回転防止爪４３ａを有し、巻取リール用開口部４２の外周から延びる巻取リール逆回転防止爪４２ｂを有する。
このように、供給リール回転防止部としての供給リール回転防止爪４３ａ、及び、巻取リール逆回転防止部としての巻取リール逆回転防止爪４２ｂとを、単一の回転制御板４０に設けたので、部品点数を削減することができる。
回転制御板４０には、供給リール側回転部５０Ａと巻取リール側回転部５７のうち回転防止させる部品に応じて供給リール回転制御部４３ａと巻取りリール回転防止部４２ｂのいずれか一方のみが形成されていてもよい。
【００６６】
回転制御板４０は、ケース１００に設けられた回転軸２１が挿通される筒部４５を有し、回転軸２１を中心として回転可能に取り付けられ、回転制御板４０はケース１００に対して、回転軸２１を中心とした一方の回転方向に、つる巻バネ（付勢部材）７により付勢されている。
このように、つる巻バネ（付勢部材）７もケース１００側に設けることができるので、カートリッジ２００をより安価且つ小型化することができる。
【００６７】
第２カートリッジ筐体３Ｌは、ベース部６０Ｂと、ベース部６０Ｂから転写ヘッド５側に延び、先端に転写ヘッド５を保持する転写ヘッド保持軸（転写ヘッド保持部）６１が設けられた可撓性延在部６０Ａを備える。
そして、可撓性延在部６０Ａは、回転制御板４０の筒部４５が挿通される軸穴６２を有し、使用時において、転写ヘッド５を被転写面に押し付けることにより可撓性延在部６０Ａの先端が一方に移動すると、回転制御板４０が軸穴６２を中心として他方に移動する。
この移動によって供給リール係合ギア５０Ａと供給リール回転防止爪４３ａとの係合及び、巻取リール逆回転防止爪（巻取リール逆回転防止部）４２ｂと巻取リール側回転部材５７との係合が解除される。
【００６８】
このように、可撓性延在部６０Ａを設けたことにより、被転写面に押し付ける際の転写ヘッド５の移動を許容しつつ、転写ヘッド５のガタつきも防止することができる。
【００６９】
以上、本発明の好適な実施形態について説明したが、これに限定されず、種々の変更が可能である。例えば、上述した左右は、逆であってもよい。また、逆転防止機構は、巻取リールと同軸に設けてもよい。
実施形態では、転写ヘッドを可撓性延在部と別体としたが、可撓性延在部と転写ヘッドを一体（一部品）にしてもよい。
【符号の説明】
【００７０】
１：塗膜転写具
２：ケース部、２Ｌ：第２ケース部、２Ｒ：第１ケース部、２ａ：開口部
３：カートリッジ筐体、３Ｌ：第２カートリッジ筐体、３Ｒ：第１カートリッジ筐体
４：供給リール、４Ｔ：転写テープ、４ａ：リブ状係止部
５：転写ヘッド、５ａ：穴部
６：巻取リール、６ａ：リブ状係止部
７：つる巻バネ（付勢部材）、８：開閉蓋
２０：開閉蓋取付部、２１：回転軸、２２：バネかけ部、２３：巻取リール用支軸、２３ａ：係止部、２４：供給リール用支軸、２４ａ：係止部、２５：揺動範囲制限軸、２６：窪み、２６ａ：平面、２６ｂ：平面、２６ｃ：係合突起（係合部）、２７：窪み、２７ａ：平面、２７ｂ：平面、２７ｃ：係合突起（係合部）、２９ａ：後壁部、２９ｂ：下壁部、２９ｂａ：直線部、２９ｂｂ：開閉爪、２９ｃ：上壁部
３１：回転軸受け部、３３：巻取リール用保持部、３４：供給リール用保持部、３６：アーム部、３６ｃ：被係合穴、３７：アーム部、３７ｃ：被係合穴、３９ｂｂ：開閉爪係合部
４０：回転制御板、４１：軸穴、４２：巻取リール用開口部、４２ａ：アーム、４２ｂ：巻取リール逆回転防止爪（巻取リール逆回転防止部）、４３：供給リール用開口部、４３ａ：供給リール回転防止爪（供給リール回転防止部）、４３ｂ：巻取リール回転防止爪、４４：回転範囲制限穴、４５：筒部、４５ａ：突部、４６：バネかけ部
５０：回転力伝達機構、５０Ａ：供給リール側回転部、５１：回転制御ギア、５２：供給リール用ギア、５３：スペーサ、５４：圧縮スプリング、５５：供給リール係合ギア、５５ａ：係止部、５５ｂ：回転軸、５５ｃ：ギア部、５６：回転力伝達ギア、５７：巻取リール側回転部、５７ａ：第１ギア、５７ｂ：第２ギア、５７ｃ：円筒部、５７ｄ：係合突部
６０Ａ：可撓性延在部、６０Ｂ：ベース部、６１：転写ヘッド保持軸、６２：軸穴、６４：第２巻取側開口、６５：第２供給側開口、７４：第１巻取側開口、７５：第１供給側開口
１００：ケース、２００：カートリッジ
【図１】
2020104376.tif 000003
【図２】
2020104376.tif 000004
【図３】
2020104376.tif 000005
【図４】
2020104376.tif 000006
【図５】
2020104376.tif 000007
【図６】
2020104376.tif 000008
【図７】
2020104376.tif 000009
【図８】
2020104376.tif 000010
【図９】
2020104376.tif 000011
【図１０】
2020104376.tif 000012
【図１１】
2020104376.tif 000013
【図１２】
2020104376.tif 000014
【図１３】
2020104376.tif 000015
【図１４】
2020104376.tif 000016
【図１５】
2020104376.tif 000017